(57)【要約】【課題】天井高さを抑えた吹抜けと、吹抜け部分に隣接した壁面であっても開口部を設けることができる吹抜け付き建物に関する。【解決手段】２階建て以上の建物Ａ１において、建物内の２階部分の部屋５に隣接して、階下の吹抜け部分Ｆが設けられ、その吹抜け部分Ｆの直上部には屋根が設けられ、吹抜け部分Ｆの屋根上面が前記部屋５の天井面より低い位置に設けられ、部屋５と吹抜け部分Ｆの境界部分の壁面で吹抜け部分の屋根上面より上方には開口部Ｗが設けられている。【選択図】  図１
2007092429.tif 000002
【特許請求の範囲】
【請求項１】
２階建て以上の建物において、建物内の２階部分の部屋に隣接して、階下の吹抜け部分が設けられ、その吹抜け部分の直上部には屋根が設けられ、吹抜け部分の屋根上面が前記部屋の天井面より低い位置に設けられ、部屋と吹抜け部分の境界部分の壁面で吹抜け部分の屋根上面より上方には開口部が設けられていることを特徴とする吹抜け付き建物。
【請求項２】
前記吹抜け部分の直上部の屋根が、略２／１０以下の緩勾配の屋根構造になっていることを特徴とする請求項１記載の吹抜け付き建物。
【請求項３】
前記吹抜け部分に隣接してロフト部分又は収納室が設けられていることを特徴とする請求項１又は請求項２記載の吹抜け付き建物。
【請求項４】
前記吹抜け部分が、前記部屋の南側に隣接して設けられていることを特徴とする請求項１乃至請求項３のいずれかに記載の吹抜け付き建物。
【請求項５】
柱および梁で箱型に構成された建物ユニットを複数個組み合わせることにより請求項１乃至請求項４のいずれかに記載の吹抜け付き建物が構成され、前記吹抜け部分が他の建物ユニットよりも天井高さの低い建物ユニットにより構成されていることを特徴とする吹抜け付き建物。
【発明の詳細な説明】
【技術分野】
【０００１】
本発明は、使い勝手のよい吹抜け部分と部屋を有する吹抜け付き建物に関する。
【背景技術】
【０００２】
最近の建物には、建物の解放感や意匠性を向上させるとなどを目的に、玄関ホールやリビングダイニングなどに吹抜け部分を設ける建物が増えている。例えば、特許文献１の発明では３階の建物の居間（リビング）部分に吹抜け部分を設けている。通常２階や３階建ての建物の吹抜け部分は、特許文献１の発明の建物ように２階又は３階の天井面までの２層又は３層分全体にわたる吹抜け部分を設ける場合が多い。
【特許文献１】特開２００１−１９３２９４号
【発明の開示】
【発明が解決しようとする課題】
【０００３】
しかし、天井高さの高い吹抜け部分は照明の設置位置や、天井付近の開口部や天井や壁の掃除などが困難であり、メンテナンス等を考慮すると少し高すぎると感じる場合がある。また、吹抜け部分に隣接した部屋については、吹抜け部分側の壁面は吹抜け部分を通じて屋外に面した開口部を設けることになり、採光や通風には不利である。特に日本人は南面開口を重視するが、吹抜け部分を南側に隣接する部屋では屋外に面する南面開口がとれない建物となる。
【０００４】
よって本発明の目的は、吹抜け部分と、吹抜け部分に隣接した部屋の使い勝手をよくした吹抜け付き建物を提供することにある。
【課題を解決するための手段】
【０００５】
請求項１記載の発明は、２階建て以上の建物において、建物内の２階部分の部屋に隣接して、階下の吹抜け部分が設けられ、その吹抜け部分の直上部には屋根が設けられ、吹抜け部分の屋根上面が前記部屋の天井面より低い位置に設けられ、部屋と吹抜け部分の境界部分の壁面で吹抜け部分の屋根上面より上方には開口部が設けられていることを特徴とする吹抜け付き建物である。
【０００６】
２階部分の部屋としては、リビングダイニング・寝室・和室などの居室空間であってもよいし、廊下・ホールなどの通路空間であってもよいし、洗面・台所などの水周り空間であってもよい。
【０００７】
部屋の天井高さは、建築基準法で定める居室の最低高さを基準として２１００ｍｍ以上になされたものである。部屋に隣接して吹抜け部分が設けられ、吹抜け部分の直上部は屋根になっており屋根を介して屋外部分と接している。部屋と吹抜け部分の境界部分の壁面で吹抜け部分の屋根上面より上方の部分に開口部が設けられている。部屋の天上面と吹抜け部分の屋根上面との間の高低差については略４００ｍｍ乃至略１２００ｍｍとなっていることが開口部を設けやすいため好ましい。
【０００８】
請求項１記載の発明によれば、吹抜け部分の屋根上面が部屋の天井面より低い位置であるため、通常のような２層分の天井高さはない。このことより、通常の照明器具を吹抜け天井部に設置することでも十分な照度を得られやすくなり、照明の設置位置も決定しやすい。また、２層吹抜けの場合に比べ天井高さが低いので吹抜け部分の天井付近の掃除も行いやすい。また、部屋と吹抜け部分の境界部分で収納室の屋根面より上方の壁面部分に開口部が設けられることにより、部屋内の吹抜けを設けた壁面側であっても、開口部より採光を行うことができる。特に、壁面上方に開口部が設けられるため部屋内の広範囲に光を採り入れることができ有効である。また、開口部を開閉可能にし、部屋内の他の壁面にも開口部を設けることで、部屋内に風道を確保でき部屋内の効率的な換気を行うことができる。
【０００９】
請求項２記載の発明は、請求項１記載の吹抜け付き建物であって、前記吹抜け部分の直上部の屋根が、略２／１０以下の緩勾配の屋根構造になっていることを特徴とするものである。
【００１０】
屋根構造については、例えばＲＣ造の建物に用いられるメンブレン防水層や折版屋根などによる陸屋根構造や、金属板葺等による緩勾配の屋根構造等が使用できる。
【００１１】
請求項２記載の発明によれば、吹抜け部分の直上部の屋根が、略２／１０以下の緩勾配の屋根構造になっているため水上部分を低く抑えることができ、部屋の天井面と吹抜け部分の屋根上面との間の高低差を大きくでき、開口部の高さを大きくとることができる。開口部の高さが大きくなると、採り入れられる光や風が大きくなり、採光や換気にも有利である。
【００１２】
請求項３記載の発明は、請求項１又は請求項２記載の吹抜け付き建物であって、前記吹抜け部分に隣接してロフト部分又は収納室が設けられていることを特徴とするものである。
【００１３】
吹抜けとロフトは隣接しておればよく、２階の部屋とロフト部分又は収納室とは隣接していても、していなくてもよい。また、吹抜け部分と部屋との間に設けてもよい。なお、ロフト部分又は収納室の天井高さは建築基準法に規定された１４００ｍｍ以下の高さとすると、延べ床面積に加算する必要がなく好ましい。なお、吹抜け部分とロフト部分又は収納室の天井面の高さは同一とすると統一感が生まれるため好ましい。
【００１４】
請求項３記載の発明によれば、吹抜けに隣接してロフト部分又は収納室が設けられるので、ロフト部分又は収納室に簡単な収納物を収納したり、ロフト部分をくつろぎの空間として使用することができる。
【００１５】
請求項４記載の発明は、請求項１又は請求項３のいずれかに記載の吹抜け付き建物であって、前記吹抜け部分が、前記部屋の南側に隣接して設けられていることを特徴とするものである。
【００１６】
請求項４記載の発明によれば、吹抜け部分を南側に隣接する部屋であっても、南面開口を設けることができる。
【００１７】
請求項５記載の発明は、請求項１又は請求項４のいずれかに記載の吹抜け付き建物であって、柱および梁で箱型に構成された建物ユニットを複数個組み合わせることにより請求項１乃至請求項３のいずれかに記載の吹抜け付き建物が構成され、前記吹抜け部分が他の建物ユニットよりも天井高さの低い建物ユニットにより構成されていることを特徴とするものである。
【００１８】
請求項５記載の発明によれば、建物ユニットで構成することで容易に本発明の吹抜け付き建物を構築できる。更に、吹抜け部分を他の建物ユニットよりも天井高さの低い建物ユニットで構成することで本発明の吹抜け部分が容易に構成することができる。
【発明の効果】
【００１９】
請求項１記載の吹抜け付き建物によれば、吹抜け部分の屋根上面が部屋の天井面より低い位置であるため、通常のような２層分の天井高さはない。このことより、通常の照明器具を吹抜け天井部に設置することでも十分な照度を得られやすくなり、照明の設置位置も決定しやすい。また、２層吹抜けの場合に比べ天井高さが低いので吹抜け部分の天井付近の開口部、天井、壁等の掃除も行いやすい。また、部屋と吹抜け部分の境界部分で吹抜け部分の屋根面より上方の壁面部分に開口部が設けられることにより、部屋内の吹抜け部分側の壁面であっても、開口部より採光を行うことができる。特に、壁面上方に開口部が設けられるため部屋内の広範囲に光を採り入れることができ有効である。また、開口部により、部屋内に風道を確保でき部屋内の効率的な換気を行うことができる。
【００２０】
請求項２記載の吹抜け付き建物によれば、吹抜け部分の直上部の屋根が、略２／１０以下の緩勾配の屋根構造になっているため水上部分を低く抑えることができ、部屋の天井面と吹抜け部分の屋根上面との間の高低差を大きくでき、部屋と吹抜け部分の境界部分で吹抜け部分の屋根上面より上方の壁面部分に設ける開口部の高さを大きくとることができる。開口部の高さが大きくなると、採り入れられる光や風が大きくなり、採光や換気にも有利である。
【００２１】
請求項３記載の吹抜け付き建物によれば、吹抜けに隣接してロフト部分が設けられるので、ロフト部分を簡単な収納物を収納したり、くつろぎの空間として使用することができる。
【００２２】
請求項４記載の吹抜け付き建物によれば、吹抜け部分を南側に隣接する部屋であっても、南面開口を設けることができる。
【００２３】
請求項５記載の吹抜け付き建物によれば、建物ユニットで構成することで容易に本発明の吹抜け付き建物を構築できる。更に、吹抜け部分を他の建物ユニットよりも天井高さの低い建物ユニットで構成することで本発明の吹抜け部分が容易に構成することができる。
【発明を実施するための最良の形態】
【００２４】
以下、本発明の、吹抜け付き建物の実施の形態を図１乃至図２に基づいて説明する。
【００２５】
図１は本発明の吹抜け付き建物の実施例の断面図である。図２は本発明の吹抜け付き建物の実施例の１階平面図及び２階平面図である。
【実施例１】
【００２６】
吹抜け付き建物Ａ１は、図２のように建物ユニットを複数個組み合わせることにより構成された２階建てのユニット建物である。１階部分には標準の天井高さの建物ユニットＢ１により構成され、２階部分には標準の天井高さの建物ユニットＢ１と天井高さの低い建物ユニットＢ２を組み合わせることにより、本発明の吹抜け付き建物Ａを構成している。建物ユニットＢ１及び建物ユニットＢ２は供に４本の柱が設けられ、その柱上部には天井梁が設けられ、柱下端には床梁が設けられた構成になっている。建物ユニットＢ１の天井高さは２４００ｍｍ、建物ユニットＢ２の天井高さは１４００ｍｍとなっている。
【００２７】
吹抜け付き建物Ａ１は、南側で道路に接する敷地に建てられた建物である。図２に示すように、吹抜け付き建物Ａの１階の南部分に玄関１が設けられ、玄関１を入り北側に階段が設けられた廊下２が設けられている。廊下２の西側にはリビングダイニング３が設けられ、リビングダイニング３の南側部分の上部は吹抜け部分Ｆとなっている。吹抜け部分Ｆの東側に隣接してロフトＲが設けられ、玄関１の上部に位置している。廊下２の東側は和室４が設けられ、押入れと床の間が和室４の北側壁面に設けられている。和室４の北側には西側よりトイレ、洗面所、浴室の順に水周り設備が設けられている。２階は、階段を上り廊下２１が設けられており、廊下２１の北側にトイレ、洗面が設けられている。廊下２１の西側には主寝室５が設けられ北側にはウォークインクローゼット６と書斎７が設けられている。主寝室５の南側は下階の吹抜け部分Ｆとなっている。廊下２１の東側には子供室８が設けらており、部屋の中央部分で可動間仕切収納９で仕切ることが可能となっている。子供室８の南側には、バルコニー１０が設けられている。
吹抜け部分Ｆ及びロフト部分Ｒは天井高さの低い（１４００ｍｍ）建物ユニットＢ２により構成され、その他の部分は標準の天井高さ（２４００ｍｍ）の建物ユニットＢ１により構成されている。
吹抜け部分Ｆ及びロフト部分Ｒの直上部は屋根８になっており、折版屋根で構成され約１／１００の緩勾配である陸屋根構造になっている。
【００２８】
吹抜け付き建物Ａ１において、本発明の特徴を示す部分である主寝室５及びその南側に隣接した吹抜け部分Ｆについて図１を用いて説明を行う。なお、本発明における２階の部屋を主寝室５として説明を行う。主寝室５はベッドや机等が置かれ、天井高さが２４００ｍｍの部屋となっている。主寝室５の東側壁面には廊下２１との出入口が設けられている。北側壁面の西側には書斎６が設けられ９００ｍｍ窓が１箇所設けられている。北側壁面の東側にはウォークインクローゼット７が設けられている。西側壁面には１８００ｍｍ窓が１箇所設けられている。南側壁面には隣接して吹抜け部分Ｆが設けられ、部屋と吹抜け部分Ｆの境界部の壁面で吹抜け部分の屋根上面より上方には開口部として窓Ｗが設けられている
【００２９】
吹抜け部分Ｆの天井面は主寝室５の床面から１４００ｍｍの高さに設けられており、吹抜け部分Ｆの天井面から直上部の屋根上面までは３００ｍｍあり、結果として主寝室５の天井面と吹抜け部分Ｆの屋根上面との間は７００ｍｍの高低差が生じている。この高低差の部分を利用して、主寝室５と吹抜け部分Ｆの境界部分の壁面で吹抜け部分の屋根上面より上方の部分には窓Ｗが設けられている。この窓Ｗは開閉可能な構成となっている。
なお、吹抜け部分Ｆの天井高さとしては１階部分の天井高さ１４００ｍｍと１−２階間の４００ｍｍと２階床面からの高さ１４００ｍｍを合わせて、合計４２００ｍｍとなっている。また、ロフト部分Ｒも吹抜け部分Ｆと同一の天井面であって、２階床面と同一の床面高さとなっており、天井高さが１４００ｍｍとなっている。
【００３０】
この構成によれば、もし本実施例の建物で２層吹抜けの場合とした場合が５２００ｍｍであるのに対し、本実施例の吹抜け部分Ｆが４２００ｍｍであるので天井高さが１０００ｍｍ低い構成になる。このことで、２層の吹抜け部分にした場合に比べ、天井高さが低いので、通常の照明器具を吹抜け部分Ｆの天井面に設置しても十分な照度を得られやすくなり、照明の配置計画も容易になる。また、吹抜け部分Ｆの天井面付近の開口部、天井、壁等の掃除も行いやすくなる。
また、主寝室５と吹抜け部分Ｆの境界部分で吹抜け部分Ｆの屋根面より上方の壁面部分に窓Ｗが設けられることにより、部屋内の吹抜けを設けた南面側の壁面であっても、窓Ｗより採光を行うことができる。特に、壁面上方に窓Ｗが設けられるため部屋内の広範囲に光を採り入れることができる。また、窓Ｗを開閉可能にしているので、主寝室内の西側壁面及び北側壁面の書斎に設けた窓を通して、主寝室５内に風道１１を確保でき効率的な換気を行うことができる。
【００３１】
なお、ロフト部分Ｒの天井高さを１４００ｍｍ以下としているため、直下階の床面積の１／２以下までのロフト部分の床面積については、建築基準法上の延べ床面積に算入する必要がない。また、主寝室の屋根上面と吹抜け部分の屋根上面との間に高低差があるため、屋根ラインに変化が生まれ外観にも表情がでる。
【００３２】
また、図３のようにリビングダイニング部分を拡げて吹抜け部分を大きくしてもよい。この際、吹抜け部分にでる建物ユニットの梁は外壁側の梁を補強するなどにより補強をおこない省略した構成にすることが好ましい。
【００３３】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００３４】
天井高さを抑えた吹抜けと、吹抜け部分に隣接した壁面であっても開口部を設けることができる吹抜け付き建物として有効である。
【図面の簡単な説明】
【００３５】
【図１】本発明の吹抜け付き建物の実施例の断面図である。
【図２】本発明の吹抜け付き建物の実施例の１階平面図及び２階平面図である。
【図３】本発明の吹抜け付き建物の実施例の変形例の断面図である。
【符号の説明】
【００３６】
Ａ            ユニット建物
Ｂ１          標準天井高さの建物ユニット
Ｂ２          天井高さの低い建物ユニット
１、          玄関
２、２１      廊下
３            リビングダイニング
４            和室
５            主寝室
６            書斎
７            ウォークインクローゼット
８            子供室
９            可動収納
１０          バルコニー
１１          風道
【図１】
2007092429.tif 000003
【図２】
2007092429.tif 000004
【図３】
2007092429.tif 000005